(57)【特許請求の範囲】
【請求項１】
小型移動体に設置された無線通信機と、基地局と、サーバ装置とを有する情報処理システムであって、
前記無線通信機は、
自機の識別子を示す通信機識別子情報が格納される通信機識別子格納部と、
前記小型移動体に取り付け可能な携帯情報端末が、前記小型移動体に設けられたホルダーから取り外されたことを検出する検出部と、
前記携帯情報端末が前記ホルダーから取り外されたことを前記検出部が検出した場合に、前記通信機識別子情報の発信を開始する発信部とを備え、
前記基地局は、
前記基地局の識別子を示す基地局識別子情報が格納される基地局識別子格納部と、
前記発信部が発信した前記通信機識別子情報を受信する基地局受信部と、
前記通信機識別子情報と前記基地局識別子情報とを有する通信基地情報を送信する基地局送信部とを備え、
前記サーバ装置は、
前記基地局送信部が送信した前記通信基地情報を受信する通信基地情報受信部と、
前記通信基地情報が格納される通信基地情報格納部と、
前記通信基地情報受信部が受信した前記通信基地情報を、前記通信基地情報格納部に蓄積する通信基地情報蓄積部と、
前記通信基地情報の変更を判断する判断部と、
前記通信基地情報が変更されたと前記判断部が判断した場合に、当該通信基地情報が示す前記識別子に対応する前記無線通信機が設置された前記小型移動体の盗難に関する情報を、予め指定された送信先である情報処理装置に送信するサーバ側送信部とを備えた情報処理システム。
【請求項２】
前記情報処理装置が、前記携帯情報端末であることを特徴とする請求項１に記載の情報処理システム。
【請求項３】
前記情報処理装置が、前記小型移動体を監視するサービスを行う会社において利用される装置であることを特徴とする請求項１に記載の情報処理システム。
【発明の詳細な説明】
【技術分野】
【０００１】
本発明は、小型移動体の盗難を検出する装置等に関するものである。
【背景技術】
【０００２】
従来の技術として、自車の位置を測定可能で且つ測定された位置情報を無線送信可能な盗難対策装置を備える自動二輪車が知られていた（例えば、特許文献１参照）。
【先行技術文献】
【特許文献】
【０００３】
【特許文献１】特開２０１２−１７６７５４号公報（第１頁、第１図等）
【発明の概要】
【発明が解決しようとする課題】
【０００４】
しかしながら、従来の技術においては、ユーザが利用する自動二輪車が、個別に、ＧＰＳ（Ｇｌｏｂａｌ  Ｐｏｓｉｔｉｏｎｉｎｇ  Ｓｙｓｔｅｍ）等の自車の位置情報を取得するための手段を有している必要があり、装置が複雑化するとともに、コストが増大してしまい、この結果、簡易な構成により、容易に盗難を検出することができない、という課題があった。
【０００５】
本発明は上記のような課題を解消するためになされたものであり、簡易な構成により、容易に、小型移動体の盗難を検出したり、盗難の検出に利用可能な情報を取得することが可能なサーバ装置等を提供することを目的とする。
【課題を解決するための手段】
【０００６】
本発明のサーバ装置は、小型移動体に設置された無線通信機が発信した通信機識別子を受信した一以上の基地局が送信する情報であって、当該基地局が受信した通信機識別子と、当該基地局の基地局識別子とを有する情報である通信基地情報を受信する通信基地情報受信部と、一以上の通信基地情報が格納される通信基地情報格納部と、通信基地情報受信部が受信した通信基地情報を、通信基地情報格納部に蓄積する通信基地情報蓄積部とを備えたサーバ装置である。
【０００７】
かかる構成により、簡易な構成により、容易に、盗難の検出に利用可能な情報を取得することができる。
【０００８】
また、本発明のサーバ装置は、前記サーバ装置において、通信基地情報受信部は、無線通信機が設置された小型移動体に取り付け可能な携帯情報端末の小型移動体に対する取り付け状況が予め指定された条件を満たす場合に、無線通信機が発信した無線通信機の通信機識別子を有する一以上の通信基地情報の、一以上の基地局からの受信を開始するサーバ装置である。
【０００９】
かかる構成により、携帯情報端末の取り付け状況に応じて、適切に、盗難の検出に利用可能な情報の取得を開始することができる。
【００１０】
また、本発明のサーバ装置は、前記サーバ装置において、通信基地情報受信部が受信する一の通信機識別子を有する通信基地情報の変更を判断する判断部と、判断部が、通信基地情報が変更されたと判断した場合に、通信基地情報受信部が受信した通信基地情報の通信機識別子が示す無線通信機が設置された小型移動体の盗難に関する情報を送信する送信部とを更に備えたサーバ装置である。
【００１１】
かかる構成により、簡易な構成により、容易に、小型移動体の盗難を検出することができる。
【００１２】
本発明の無線通信機は、小型移動体に設置される無線通信機であって、自機の識別子である通信機識別子が格納される通信機識別子格納部と、小型移動体に取り付け可能な携帯情報端末の、小型移動体に対する取り付け状況を検出する検出部と、検出部が検出した取り付け状況が、予め指定された条件を満たす場合に、通信機識別子に格納された通信機識別子の発信を開始する発信部とを備えた無線通信機である。
【００１３】
かかる構成により、携帯情報端末の取り付け状況に応じて、適切に、盗難の検出に利用可能な通信機識別子の発信を開始することができる。
【００１４】
また、本発明の無線通信機は、前記無線通信機において、予め指定された条件は、携帯情報端末の取り付け状況が、小型移動体に設けられたホルダーから取り外された状況であることであり、検出部は、携帯情報端末が小型移動体に設けられたホルダーから取り外されていることを示す取り付け状況を検出する無線通信機である。
【００１５】
かかる構成により、携帯情報端末がホルダーから取り外された場合に、通信機識別子の発信を開始することで、ユーザが、小型移動体からおりた際に、自動的に、盗難の検出に利用可能な通信機識別子の発信を開始することができる。
【発明の効果】
【００１６】
本発明によるサーバ装置等によれば、簡易な構成により、容易に、小型移動体の盗難を検出したり、盗難の検出に利用可能な情報を取得することができる。
【図面の簡単な説明】
【００１７】
【図１】本発明の実施の形態における情報処理システムのブロック図
【図２】同情報処理システムを説明するための、小型移動体の一例を示す図
【図３】同情報処理システムを説明するための、小型移動体に設置されたホルダーを示す図（図３（ａ））、及びホルダーに携帯情報端末を取り付けた状態を示す図（図３（ｂ））
【図４】同情報処理システムのサーバ装置の動作について説明するフローチャート
【図５】同情報処理システムを説明するための、基地局と無線通信機との位置関係を示す第一の図（図５（ａ））、及び第二の図（図５（ｂ））
【図６】同情報処理システムのサーバ装置の通信基地情報管理表を示す図
【図７】同情報処理システムのサーバ装置の通信基地情報管理表を示す図
【図８】同情報処理システムのサーバ装置の送信先管理情報を示す図
【図９】同情報処理システムの携帯情報端末による盗難関連情報の表示例を示す図
【図１０】本発明の実施の形態におけるコンピュータシステムの外観の一例を示す図
【図１１】同コンピュータシステムの構成の一例を示す図
【発明を実施するための形態】
【００１８】
以下、本発明の実施形態について図面を参照して説明する。なお、実施の形態において同じ符号を付した構成要素は同様の動作を行うので、再度の説明を省略する場合がある。
【００１９】
（実施の形態）
図１は、本実施の形態における情報処理システム１０００のブロック図である。
【００２０】
図２は、本実施の形態における無線通信機１が設置された小型移動体の一例を示す側面図である。
【００２１】
図３は、小型移動体５のハンドル近傍に設置されたホルダー３０を示す図（図３（ａ））、及び当該ホルダーに携帯情報端末４を取り付けた状態を示す図（図３（ｂ））である。
【００２２】
情報処理システム１０００は、一または二以上の無線通信機１、複数の基地局２、サーバ装置３、及び一または二以上の携帯情報端末４を備える。なお、ここでは、説明の便宜上、一の無線通信機１と、２つの基地局２と、一の携帯情報端末４とを備えている場合を例に挙げて説明する。なお、図１においては、二つの基地局２を、基地局２ａ、２ｂとして表しているが、基地局２ａと、基地局２ｂとは、基地局識別子格納部２０１に格納されている基地局識別子を除けば、実質的に同様の構成を有しているものとする。
【００２３】
情報処理システム１０００においては、無線通信機１と基地局２とは、情報の送受信が可能となるように、無線ネットワークや、無線通信回線等を介して、接続される。また、基地局２とサーバ装置３とは、情報の送受信が可能となるように、無線または有線のネットワークや、通信回線等を介して接続される。また、サーバ装置３と、携帯情報端末４とは、情報の送受信が可能となるように、無線ネットワークや、無線通信回線等を介して、接続される。なお、無線通信機１と、サーバ装置３とが、さらに、情報の送受信が可能となるように、無線ネットワークや、無線通信回線等を介して、情報の送受信が可能となるように接続されていてもよい。
【００２４】
無線通信機１は、通信機識別子格納部１０１、発信部１０２、及び検出部１０３を備える。
【００２５】
基地局２は、基地局識別子格納部２０１、基地局受信部２０２、及び基地局送信部２０３を備える。
【００２６】
サーバ装置３は、通信基地情報受信部３０１、通信基地情報格納部３０２、通信基地情報蓄積部３０３、判断部３０４、及び送信部３０５を備える。
【００２７】
携帯情報端末４は、端末受信部４０１、及び端末出力部４０２を備える。
【００２８】
無線通信機１は、自機の識別子である無線機識別子を発信する装置である。無線機識別子については後述する。無線通信機１は、小型移動体に設置される。無線通信機１は、例えば、図２に示すように、小型移動体５に設置されている。小型移動体とは、例えば、自動二輪車、自動三輪車、超小型モビリティ等である。ここでの小型移動体は、例えば、乗用の小型移動体である。小型移動体は、例えば、一人乗り、または二人乗りの乗り物である。小型移動体は、例えば、原動機付きのものであってもよく、原動機の付いていない軽車両等であっても良い。また、小型移動体は、電動アシスト自転車であってもよい。図２においては、説明の便宜上、小型移動体５が自動二輪車５である場合を例に挙げて示しているが、本実施の形態においては、小型移動体５は、自動二輪車以外の小型移動体であってもよい。無線通信機１が、小型移動体５のどの部分に設置されているかは問わない。また、無線通信機１は、小型移動体５に対して着脱可能に設置されていても良い。
【００２９】
通信機識別子格納部１０１には、自機の通信機識別子が格納される。通信機識別子は、例えば、個々の無線通信機１毎に異なる無線通信機１の識別子である。無線通信機１の識別子は、例えば、無線通信機１の製造番号や無線通信機１に割り当てられたコード等である。通信機識別子は、無線通信機１が設置される小型移動体５の識別子であっても良い。小型移動体５の識別子については後述する。
【００３０】
通信機識別子格納部１０１は、不揮発性の記録媒体が好適であるが、揮発性の記録媒体でも実現可能である。かかることは、他の格納部においても同様である。
【００３１】
発信部１０２は、通信機識別子格納部１０１に格納されている通信機識別子を発信する。なお、発信部１０２は、例えば、通信機識別子と対応づけて、図示しない時計等が取得した発信時刻等の他の情報を更に発信してもよい。
【００３２】
例えば、発信部１０２は、通信機識別子を、予め指定された一定の時間間隔や、不定の時間間隔で、繰り返し発信する。ただし、発信部１０２が、通信機識別子を発信する時やトリガー等は問わない。また、発信部１０２が発信する繰り返しの有無や、繰り返し回数等は問わない。ここでの発信は、送信と考えてもよい。ここでの発信は、例えば、送信先を特定しない発信であってもよく、発信先を一または二以上の基地局２等に特定した発信であっても良い。
【００３３】
発信部１０２は、例えば、常時、通信機識別子を発信してもよく、予め指定された場合に、通信機識別子の発信を開始しても良い。例えば、発信部１０２は、無線通信機１が設置された小型移動体５に取り付け可能な携帯情報端末４の、この小型移動体５に対する取り付け状況に応じて、通信機識別子の発信を開始しても良い。ここでの携帯情報端末４は、例えば、小型移動体５のユーザが利用する携帯情報端末４である。例えば、発信部１０２は、携帯情報端末４の小型移動体５に対する取り付け状況が予め指定された条件を満たす場合に、通信機識別子の発信を開始しても良い。
【００３４】
例えば、発信部１０２は、後述する検出部１０３が検出した小型移動体５に取り付け可能な携帯情報端末４の小型移動体５への取り付け状況が、予め指定された条件を満たす場合に、通信機識別子格納部１０１に格納された通信機識別子の発信を開始してもよい。例えば、図３（ａ）に示すように、小型移動体５に携帯情報端末４を保持するためのホルダー３０が設けられている場合、予め指定された条件は、例えば、携帯情報端末４の取り付け状況が、小型移動体５に設けられたホルダー３０から取り外された状況であることであってもよい。ここでの取り外された状況とは、例えば、図３（ｂ）に示すように、ホルダー３０に取り付けられていた携帯情報端末４が、ホルダー３０から取り外された状況である。
【００３５】
例えば、発信部１０２は、後述する検出部１０３が検出した携帯情報端末４の小型移動体に対する取り付け状況が、ホルダー３０から取り外されたことを示す状況であるか否かを判断し、取り外されたことを示す状況である場合に、通信機識別子の発信を開始する。なお、取り付け状況が、予め指定された状況であるか否かを判断することは、検出部１０３が出力する取り付け状況を示す情報が、予め指定された状況を示す情報と一致するか否かを判断することと考えてもよく、予め指定された状況を示す情報と一致した場合に、発信部１０２は、取り付け状況が予め指定された状況であると判断しても良い。
【００３６】
なお、図３（ａ）及び図３（ｂ）に示した小型移動体５に設置されたホルダー３０は一例を示すものであって、ホルダー３０は、携帯情報端末４を小型移動体５に取り付け可能なものであって、携帯情報端末４を着脱可能なものであれば、本実施の形態のホルダー３０は、どのようなものであってもよく、その形状や、構造、取り付け位置等は問わない。例えば、図３（ａ）に示すように、吸着用の吸盤やゲル等の吸着部材３１ａを備えた携帯情報端末４を配置するための台３１と、携帯情報端末４の側面及び底面に設けられたガイド部材３２とを備えたホルダー３０等が利用可能である。また、ホルダー３０が取り付けられる小型移動体５は、自動二輪車でなくても良いことはいうまでもない。
【００３７】
また、発信部１０２が、上記以外の、どのような時点や、トリガー等に応じて、通信機識別子の発信を開始するようにしても良い。例えば、ユーザから、図示しないスイッチ等の操作を介して、通信機識別子の発信を開始させる指示を受付けた場合に、発信を開始しても良い。また、ユーザが利用する携帯情報端末４を介して、発信を開始させる指示を受付けた場合に、発信を開始しても良い。また、無線通信機１が設置された小型移動体５のエンジンやモータ等の動力がオフとなった場合や、小型移動体５への電力供給がオフとなった場合等に発信を開始しても良い。
【００３８】
なお、発信部１０２が、通信機識別子の発信をどのような場合に終了するかは問わない。例えば、携帯情報端末４の小型移動体５への取り付け状況が、小型移動体５に設置されたホルダー３０への取り付けられた状況となった場合に、通信識別子の発信を終了しても良い。また、ユーザから、図示しないスイッチ等の操作を介して、通信機識別子の発信を終了させる指示を受付けた場合や、ユーザが利用する携帯情報端末４を介して、発信を終了させる指示を受付けた場合に、発信を終了しても良い。また、無線通信機１が設置された小型移動体５のエンジンやモータ等の動力がオンとなった場合や、小型移動体５への電力供給がオンとなった場合等に発信を終了しても良い。
【００３９】
なお、発信部１０２は、発信する通信機識別子の発信先となる基地局が変更された場合にだけ、通信機識別子を発信するようにしてもよい。例えば、一以上の基地局２が、この基地局２が有する基地局識別子を、通信可能な範囲内に一定または不定の時間間隔毎に繰り返し出力しているようにし、発信部１０２は、通信機識別子を発信可能な時点以降に、一以上の基地局２から基地局識別子を受信した場合に、初回だけ、通信機識別子を発信するとともに、受信した基地局識別子を図示しない格納部等に蓄積しておくようにし、その後は、同じ基地局識別子を受信した場合には、通信機識別子を送信せず、異なる基地局識別子を受信した場合には、初回だけ、通信機識別子を発信して、この基地局識別子で上記の格納されていた基地局識別子を更新する処理を繰り返すようにしてもよい。ここでの更新は追記であっても、上書きであっても良い。
【００４０】
発信部１０２は、無線の通信手段や放送手段で実現される。発信部１０２は、通常、通信デバイスを備えているが、発信部１０２は、通信デバイスを備えていなくてもよい。
【００４１】
検出部１０３は、小型移動体５に取り付け可能な携帯情報端末４の、小型移動体５に対する取り付け状況を検出する。例えば、検出部１０３は、小型移動体５に設置された携帯情報端末４を取り付けるためのホルダー３０に取り付けられていた携帯情報端末４が、ホルダー３０から取り外された状況となったか否かを判断し、その判断結果を、取り付け状況の検出結果として取得する。例えば、取り外された状況となったと判断された場合、取り外された状況であることを示す情報を検出結果を示す情報として取得する。
【００４２】
検出部１０３は、どのように、携帯情報端末４がホルダー３０から取り外されたか否かを判断してもよい。例えば、図３（ａ）に示すように、ホルダー３０の、携帯情報端末４が載置される面に、携帯情報端末４がホルダー３０に取り付けられている場合にボタンが押された状態で保持され、ホルダー３０から外された場合にボタンが押されていない状態で保持されて、それぞれの状態に応じた通電状態となる押しボタン式のスイッチ３５を設けるようにし、このスイッチ３５が押されている状態から、押されていない状態に変化した場合に、このスイッチ３５の通電状態の変化、例えばスイッチ３５のオンからオフへの変化による出力変化を受付けることにより、検出部１０３は、携帯情報端末４がホルダー３０から取り外された状況となったことを検出しても良い。また、ホルダー３０に図示しない近接センサー等を設け、この近接センサーが、携帯情報端末４がホルダー３０に近接している状況から、近接していない状況に変化したことを検出した場合に、検出部１０３は、携帯情報端末４がホルダー３０から取り外された状況となったことを検出しても良い。
【００４３】
なお、検出部１０３は、近距離無線通信により通信可能な範囲に検出されていた携帯情報端末４が検出できなくなった場合に、携帯情報端末４が近距離無線通信により通信不可となったことを示す情報を検出して出力しても良く、発信部１０２は、この情報を検出部１０３から受け取った場合に、通信機識別子の発信を開始しても良い。
【００４４】
基地局２は、無線通信の基地局である。基地局２は、例えば、いわゆるＷｉ−Ｆｉ等の無線ＬＡＮや、携帯電話や、ＰＨＳ等の基地局である。基地局２は、例えば、無線通信機１から発信される通信機識別子等の情報を受信するための、ネットワークや、通信回線網の末端の装置と考えてもよい。基地局２は、例えば、無線ＬＡＮ等のアクセスポイントも含む概念であると考えてもよい。一の基地局２は、通常、限られた範囲内に位置する無線通信機１から通信機識別子等の情報を受信する。一の無線通信機１が発信する通信機識別子等を受信可能な基地局２が複数存在する場合、受信する電波等の強度が大きい一の基地局２だけが、一の無線通信機１から発信される通信機識別子等を受信してもよく、受信可能な複数の基地局２が、一の無線通信機１から通信機識別子を受信してもよい。
【００４５】
基地局識別子格納部２０１には、基地局識別子が格納されている。基地局識別子は、基地局２の識別子である。例えば、基地局識別子は基地局２に割り当てられた名称や、基地局２の名称や、基地局の緯度経度等の座標や、基地局２のＭＡＣアドレスやＩＰアドレス等のアドレス情報である。
【００４６】
基地局受信部２０２は、無線通信機１から送信される通信機識別子を受信する。基地局受信部２０２は、通信機識別子ともに無線通信機１から送信される時刻等の他の情報を更に受信してもよい。
【００４７】
基地局受信部２０２は、通常、無線の通信手段で実現されるが、放送を受信する手段で実現されても良い。基地局受信部２０２は、通信デバイスを含むと考えても、含まないと考えても良い。
【００４８】
基地局送信部２０３は、基地局受信部２０２が一の無線通信機１から受信した通信機識別子と、基地局識別子格納部２０１に格納されている基地局識別子とを有する通信基地情報をサーバ装置３に送信する。基地局送信部２０３は、一の無線通信機１から受信した時刻等の情報や、図示しない時計等が取得した現在時刻の情報等を更に有する通信基地情報を送信してもよい。なお、基地局送信部２０３は、ネットワークや通信回線等で接続された他の装置を介して、通信基地情報をサーバ装置３に送信してもよい。
【００４９】
基地局送信部２０３は、通常、無線または有線の通信手段で実現される。基地局送信部２０３は、通信デバイスを含むと考えても、含まないと考えても良い。
【００５０】
通信基地情報受信部３０１は、基地局２が送信する通信基地情報を受信する。具体的には、通信基地情報受信部３０１は、小型移動体５に設置された無線通信機１が発信した通信機識別子を受信した一以上の基地局２が送信する情報であって、この基地局２が受信した通信機識別子と、この基地局２の基地局識別子とを有する情報である通信基地情報を受信する。ここでの無線通信機１が発信した通信機識別子とは、無線通信機１の識別子である。また、基地局２の基地局識別子とは、基地局２の識別子である。例えば、通信基地情報受信部３０１は、一または二以上の基地局２がそれぞれ送信する通信基地情報を受信する。
【００５１】
通信基地情報受信部３０１は、例えば、無線通信機１が設置された小型移動体に取り付け可能な携帯情報端末４の、小型移動体５に対する取り付け状況が予め指定された条件を満たす場合に、無線通信機１が発信した無線通信機１の通信機識別子を有する一以上の通信基地情報の、一以上の基地局２からの受信を開始することが好ましい。
【００５２】
このことは、例えば、小型移動体５に取り付けられた無線通信機１が、上述したように、携帯情報端末４の小型移動体５に対する取り付け状況が予め指定された条件を満たす場合に発信を開始する通信機識別子を、受信することと考えてもよい。
【００５３】
あるいは、小型移動体に取り付けられた無線通信機１の発信部１０２が、小型移動体に対する携帯情報端末４の取り付け状況が予め指定された条件を満たすと判断した場合に、無線通信機１の通信機識別子格納部１０１に格納された通信機識別子を、サーバ装置３に直接あるいは間接的に送信するようにし、この通信機識別子を受信したサーバ装置３が、この通信機識別子と一致する通信機識別子を有する通信基地情報の受信を開始することであっても良い。なお、この通信機識別子と異なる通信機識別子を有する通信基地情報については、通信基地情報受信部３０１は、受信を行わずに、破棄するようにしても良い。また、ここでの間接的な受信は、基地局２等を経由した受信であっても良い。この場合の取り付け状況や、予め指定された条件は、上記と同様であるためここでは説明は省略する。かかることは以下においても同様である。
【００５４】
また、小型移動体に取り付けられた無線通信機１の発信部１０２が、小型移動体に対する携帯情報端末４の取り付け状況が予め指定された条件を満たすと判断した場合に、無線通信機１が送信する通信機識別子を有する通信基地情報を、サーバ装置３に送信することを指示する情報を、基地局２に送信するようにし、この指示を受信した基地局２が、この指示と共に受信した通信機識別子を有する通信基地情報のサーバ装置３への送信を開始し、サーバ装置３は、基地局２から送信される通信基地情報を受信するようにすることであってもよい。
【００５５】
通信基地情報受信部３０１は、通常、無線または有線の通信手段で実現されるが、放送を受信する手段で実現されても良い。通信基地情報受信部３０１は、通信デバイスを含むと考えても、含まないと考えても良い。
【００５６】
通信基地情報格納部３０２には、一または二以上の通信基地情報が格納される。通信基地情報格納部３０２に格納される通信基地情報は、通信基地情報受信部３０１が受信した通信基地情報である。なお、通信基地情報格納部３０２に格納されている通信基地情報については、図示しない出力部等により、外部の装置や、他の格納部等に適宜出力するようにしてもよい。この場合の出力は、送信や、格納部等への蓄積や、表示等を含む概念である。
【００５７】
通信基地情報蓄積部３０３は、通信基地情報受信部３０１が受信した通信基地情報を、通信基地情報格納部３０２に蓄積する。通信基地情報蓄積部３０３は、通信基地情報を受信した時刻を、図示しない時計等から取得して、取得した時刻を、通信基地情報と対応づけて通信基地情報格納部３０２に蓄積しても良い。
【００５８】
なお、通信基地情報蓄積部３０３は、受信時刻や、通信基地情報が有する発信時刻等が、現在の時刻よりも、予め指定された時間以上古い通信基地情報に対して、後述する判断部３０４が行う判断処理の対象から除外されることを示すフラグ等の情報を付与しても良い。あるいは、通信基地情報蓄積部３０３は、フラグ等の情報を付与する代わりにこれらの古い通信基地情報を、削除するようにしても良い。この予め指定された時間は、後述するように、判断部３０４が、通信基地情報の変更を判断するために通信基地情報を読み出す際に利用する時間よりも長い時間とすることが好ましい。
【００５９】
また、通信基地情報蓄積部３０３は、一の無線通信機１が、直接、あるいは基地局２等を介して間接的に、サーバ装置３に送信する通信基地情報の送信を終了する指示や、送信を開始する指示等に応じて、この一の無線通信機１に対応する通信機識別子を有する通信基地情報を、通信基地情報格納部３０２から削除して、この無線通信機１から過去に送信された通信基地情報をリセットしても良い。
【００６０】
判断部３０４は、通信基地情報受信部３０１が受信する一の通信機識別子を有する通信基地情報の変更を判断する。例えば、判断部３０４は、一の通信基地情報を受信した場合に、この通信基地情報と同じ通信機識別子を有する通信基地情報の基地局識別子に変更があったか否かを判断する。そして、同じ通信機識別子を有する通信基地情報の基地局識別子に変更があった場合、通信基地情報に変更があったと判断する。例えば、判断部３０４は、一の通信基地情報を受信した場合に、この受信した通信基地情報が有する基地局識別子と、この受信した通信基地情報と同じ通信機識別子を有する以前に受信した通信基地情報が有する基地局識別子とを比較して、この通信機識別子を有する通信基地情報の基地局識別子に変更があったか否かを判断する。具体的には、基地局識別子が一致するか否かを判断し、一致する場合は、通信基地情報に変更なしと判断し、一致しない場合は変更有りと判断する。
【００６１】
具体的には、判断部３０４は、一の通信基地情報を受信した場合に、この通信基地情報と同じ通信機識別子を有する以前に受信した通信基地情報が、通信基地情報格納部３０２にあるか否かを判断する。そして、ない場合は、この通信機識別子を有する通信基地情報を以前に受信していないと判断して、この通信基地情報を受信する。この場合、通信基地情報の変更はないと判断する。また、ある場合、受信した通信基地情報と同じ通信機識別子を有する以前に受信した通信基地情報を、通信基地情報格納部３０２から読出し、受信した通信基地情報の基地局識別子と、読み出した通信基地情報の基地局識別子とが一致するか否か判断し、一致する場合は、通信基地情報の変更がないと判断する。また、一致しない場合は、通信基地情報の変更があると判断する。
【００６２】
ここでの以前に受信した通信基地情報とは、例えば、過去に受信した通信基地情報と考えてもよい。以前に受信した基地情報は、例えば、直前に受信した通信基地情報であっても良く、受信回が、一または二以上の予め指定された数だけ前の通信基地情報であっても良く、受信時刻や、通信基地情報が有する発信時刻等が、現在の時刻よりも予め指定された時間だけ前の時刻に最も近い通信基地情報であっても良い。
【００６３】
なお、判断部３０４は、一の通信機識別子を有する通信基地情報を最後に受信してから 、予め指定された時間以上、この一の通信機識別子を有する通信基地情報を受信しなかった場合に、この一の通信機識別子を有する通信基地情報について変更があったと判断してもよい。例えば、通信基地情報格納部３０２に格納されている通信基地情報において、通信機識別子毎に、受信した順番が最新である通信基地情報を検出し、通信機識別子毎に、検出された最新の通信基地情報に対応づけられた受信時刻と、現在の時刻との差が、予め指定された時間以上であるか否かを判断し、予め指定された時間以上であると判断された 場合に、判断された通信機識別子を有する通信基地情報について変更があったと判断してもよい。ただし、この場合、ユーザが、例えば、携帯情報端末４を小型移動体５のホルダー３０に取り付けること等によって、無線通信機１からの通信機識別子の発信を終了させる場合には、通信基地情報の変更の誤検出を防ぐために、無線通信機１から、通信機識別子の発信を終了することを示すための通信機識別子を有する情報等を発信するようにして、基地局２等を介して、サーバ装置３に、一の通信機識別子を有する通信基地情報の発信を終了することを通知することが好ましい。
【００６４】
送信部３０５は、判断部３０４が、通信基地情報受信部３０１が受信する通信基地情報が変更されたと判断した場合に、この通信基地情報受信部３０１が受信した通信基地情報の通信機識別子が示す無線通信機１が設置された小型移動体５の盗難に関する情報を送信する。例えば、送信部３０５は、判断部３０４が、通信基地情報受信部３０１が受信する一の通信機識別子を有する通信基地情報が変更されたと判断した場合に、この一の通信機識別子が示す無線通信機１が設置された小型移動体の盗難に関する情報を送信する。
【００６５】
小型移動体の盗難に関する情報とは、例えば、小型移動体が盗難されたことを示す情報や、小型移動体が盗難された可能性があることを示す情報である。なお、以下、小型移動体の盗難に関する情報を、盗難関連情報を呼ぶ。盗難関連情報は、例えば、図示しない格納部等に格納された小型移動体が盗難されたことを示す文字列や画像の情報である。盗難関連情報は、例えば、盗難の対象となった小型移動体を識別可能な情報を有する情報であってもよい。盗難の対象となった小型移動体を識別可能な情報は、例えば、変更された基地局識別子を有する通信基地情報の通信機識別子や、この通信機識別子と対応づけられた小型移動体の識別子や、この通信機識別子と対応づけられたユーザの識別子であっても良い。盗難関連情報は、小型移動体が盗難されたことを警告する情報と考えても良い。
【００６６】
小型移動体の識別子は、例えば、小型移動体のナンバープレート等に記載されている車両番号や、登録番号、課税番号等であってもよく、小型移動体の防犯登録番号等であっても良い。また、小型移動体の製造番号等であっても良い。
【００６７】
ユーザの識別子は、例えば、ユーザの氏名や、ユーザに割り当てられたコードや、ユーザのメールアドレスや、ユーザの携帯電話番号や、ユーザのアカウント等である。
【００６８】
盗難関連情報は、例えば、上述したような盗難の対象となった小型移動体を識別可能な情報だけを有する情報や、この情報に、上述した通信基地情報の変更を検出した時刻や、送信時刻等を加えた情報であっても良い。あるいは、更に、盗難が行われたこと、あるいは盗難が行われた可能性があることを示す情報であっても良い。また、変更が検出された基地局識別子の情報や、この基地局識別子に対応づけられた地点やエリア、例えば、この基地局識別子が示す基地局２の地点を示す情報や、この基地局２に対して無線通信機１が通信可能であるエリアを示す情報等を有していても良い。基地局２の地点を示す情報は、基地局２の設置されている場所の住所や、緯度経度等の座標や、場所の名称（例えば、駅名や、ランドマーク名等）であっても良い。また、通信可能なエリアを示す情報は、基地局２の地点を示す情報と、この地点からの距離を示す情報との組み合わせや、通信可能な地域名（例えば、市町村名等）や、緯度経度等の座標を用いて示されるエリアの境界線等であっても良い。
【００６９】
盗難関連情報のデータタイプ等は問わない。盗難関連情報は、例えば、画像情報や、テキスト情報や、音声情報や、ＨＴＭＬ等の文書等を記述するための言語で記述された情報等の二以上の組み合わせで構成される。
【００７０】
盗難関連情報の送信先は、例えば、予め指定された送信先である。例えば、送信部３０５は、変更されたと判断された通信基地情報の通信機識別子に対して予め対応づけられた送信先に送信する。この送信先は、例えば、変更されたと判断された通信基地情報の通信機識別子が示す無線通信機１のユーザや、この無線通信機１が取り付けられた小型移動体のユーザである。ユーザが送信先であるということは、例えば、ユーザが利用する携帯情報端末４や、コンピュータ（図示せず）等の情報処理装置を送信先にすることである。あるいは、この送信先は、小型移動体の盗難等を監視するサービスを行う会社や、警備会社等において利用する情報処理装置（図示せず）等であっても良い。
【００７１】
送信部３０５は、例えば、一の通信機識別子を有する通信基地情報が変更されたと判断した場合に、この一の通信機識別子に対応づけられた送信先に、盗難関連情報を送信する。例えば、送信部３０５は、一の通信機識別子を有する通信基地情報が変更されたと判断した場合に、この一の通信機識別子に対応づけられた送信先を示す情報を取得し、取得した送信先を示す情報が示す送信先に盗難関連情報を送信する。
【００７２】
例えば、予め図示しない格納部等に、通信機識別子と、当該通信機と対応づけられた送信先を示す情報とを対応づけて有する二以上の情報（以下、送信先管理情報と称す）を格納しておくようにし、判断部３０４が、一の通信機識別子を有する通信基地情報が変更されたと判断した場合に、送信部３０５は、この一の通信機識別子と対応づけられた送信先を示す情報を、送信先管理情報から検索等により取得し、取得した送信先を示す情報が示す送信先に、盗難関連情報を送信する。ここでの通信基地情報の変更とは、例えば、上述したような通信基地情報が有する通信基地情報の変更である。
【００７３】
送信先を示す情報は、例えば、送信先を特定して、盗難関連情報を送信する際の宛先として利用される情報であればよい。送信先を示す情報は、例えば、送信先のメールアドレスや、ショートメッセージングサービスのアカウントや、チャット等のアカウントである。また、送信先のファクシミリ等の番号であってもよい。送信部３０５は、異なる二以上の送信先に、盗難関連情報を送信してもよい。
【００７４】
送信部３０５は、通常、無線または有線の通信手段で実現されるが、放送手段で実現されても良い。送信部３０５は、通信デバイスを含むと考えても、含まないと考えても良い。
【００７５】
携帯情報端末４は、例えば、携帯型の情報処理端末装置である。携帯情報端末４は、例えば、携帯電話や、いわゆるスマートフォン等の多機能携帯電話や、ＰＤＡ（Ｐｅｒｓｏｎａｌ  Ｄｉｇｉｔａｌ  Ａｓｓｉｓｔａｎｔ）や、タブレット型端末や、いわゆるウェアラブルコンピュータ等で実現可能である。
【００７６】
端末受信部４０１は、サーバ装置３から送信される盗難関連情報を受信する。例えば、端末受信部４０１は、この端末受信部４０１を備えた携帯情報端末４のユーザが利用する小型移動体５の盗難に関する情報を受信する。例えば、ユーザが、サーバ装置３に予め、ユーザの携帯情報端末４を送信先に指定する情報（例えば、携帯情報端末４のメールアドレス）と、ユーザが利用する小型移動体５に設置された無線通信機１の通信機識別子とを対応づけて予め登録しておくようにすることで、上述したように、サーバ装置３から、ユーザの利用する小型移動体５の盗難に関する情報を受信することが可能となる。
【００７７】
端末受信部４０１は、通常、無線の通信手段で実現される。端末受信部４０１は、通信デバイスを含むと考えても、含まないと考えても良い。
【００７８】
端末出力部４０２は、端末受信部４０１が受信した小型移動体の盗難に関する情報を出力する。出力は、モニタへの表示、音出力、外部の装置への送信、記録媒体への蓄積、他の処理装置や他のプログラムなどへの処理結果の引渡しなどを含む概念である。
【００７９】
端末出力部４０２は、モニタやスピーカー等の出力デバイスを含むと考えても含まないと考えても良い。端末出力部４０２は、出力デバイスのドライバーソフトまたは、出力デバイスのドライバーソフトと出力デバイス等で実現され得る。
【００８０】
次に、情報処理システム１０００の無線通信機１の動作の一例について説明する。例えば、無線通信機１の検出部１０３は、携帯情報端末４が、この無線通信機１が設置された小型移動体（図示せず）に取り付けられたホルダー（図示せず）から取り外されたか否かの判断を繰り返す。そして、携帯情報端末４がホルダーから取り外されたことを、検出部１０３が判断した場合、発信部１０２は、通信機識別子格納部１０１に格納された通信機識別子を読み出して発信する処理を、例えば、予め指定された時間間隔ごとに繰り返し実行する。また、検出部１０３は、携帯情報端末４がホルダーから取り外された後は、ホルダーに携帯情報端末４が取り付けられたか否かを判断する処理を繰り返し行い、取り付けられた場合に、通信機識別子を発信する処理を終了する。そして、検出部１０３は、再度、携帯情報端末４がホルダーから取り外されたか否かの判断処理を開始する。
【００８１】
次に、情報処理システム１０００の基地局２の動作の一例について説明する。基地局２の基地局受信部２０２は、無線通信機１から通信機識別子を受信したか否かの判断を繰り返し行う。そして、基地局受信部２０２が、通信機識別子を受信した場合、基地局送信部２０３は、基地局識別子格納部２０１に格納された基地局識別子を読出し、読み出した基地局識別子と、受信した通信機識別子とを有する通信基地情報を、サーバ装置３に送信する。その後も同様の処理を繰り返す。
【００８２】
次に、情報処理システム１０００のサーバ装置３の動作の一例について図４のフローチャートを用いて説明する。
【００８３】
（ステップＳ１０１）通信基地情報受信部３０１は、一の基地局２から、通信基地情報を受信したか否かを判断する。受信した場合、ステップＳ１０２に進み、受信していない場合、ステップＳ１１０に進む。
【００８４】
（ステップＳ１０２）通信基地情報蓄積部３０３は、ステップＳ１０１で受信した通信基地情報を、通信基地情報格納部３０２に蓄積する。例えば、通信基地情報蓄積部３０３は、受信した通信機基地情報を、図示しない時計等から取得した現在時刻と対応づけて、通信基地情報格納部３０２に蓄積する。
【００８５】
（ステップＳ１０３）判断部３０４は、直前のステップＳ１０１で受信してステップＳ１０２で蓄積した最新の通信基地情報から、通信機識別子を取得する。
【００８６】
（ステップＳ１０４）判断部３０４は、通信基地情報蓄積部３０３が通信基地情報格納部３０２に蓄積した最新の通信基地情報と同じ通信機識別子を有する直前に通信基地情報受信部３０１が受信した通信基地情報を検出する処理を行う。最新の通信基地情報の直前に受信した通信基地情報とは、例えば、最新の通信基地情報の一つ前に受信した通信基地情報である。なお、直前の通信基地情報を検出する際において、例えば、後述するように、既に、検出の対象外である通信基地情報であることを示すフラグ等の情報が付与されている通信基地情報については、検出の対象から除外する。
【００８７】
（ステップＳ１０５）判断部３０４は、ステップＳ１０３で取得した最新の通信基地情報の通信機識別子と同じ通信機識別子を有する直前に通信基地情報受信部３０１が受信した通信基地情報を検出できたか否かを判断する。検出できた場合、ステップＳ１０６に進み、検出できなかった場合、ステップＳ１０１に戻る。
【００８８】
（ステップＳ１０６）判断部３０４は、ステップＳ１０４で検出した通信基地情報と、ステップＳ１０１で受信した最新の通信基地情報とから、それぞれ基地局識別子を取得する。
【００８９】
（ステップＳ１０７）判断部３０４は、ステップＳ１０６で取得した２つの基地局情報が一致するか否かを判断する。一致する場合、ステップＳ１０１に戻り、一致していない場合、ステップＳ１０８に進む。２つの基地局情報が一致するということは、例えば、連続して送信された一の通信機識別子を受信した基地局２に変更がないことを意味する。なお、ここでの一致は通常は完全一致であるが、部分一致も含む概念と考えてもよい。
【００９０】
（ステップＳ１０８）送信部３０５は、盗難関連情報の送信先を示す情報を取得する。例えば、判断部３０４は、図示しない格納部に格納されている通信先管理情報から、直前のステップＳ１０３で取得した通信機識別子と対応づけられた送信先を示す情報を取得する。例えば、送信部３０５は、通信機識別子と対応づけられた携帯情報端末４のメールアドレス等のアドレス情報を、通信先管理情報から取得する。
【００９１】
（ステップＳ１０９）送信部３０５は、ステップＳ１０８で取得した送信先を示す情報が示す送信先に、盗難関連情報を出力する。例えば、ステップＳ１０８で取得した一の携帯情報端末４のメールアドレス等のアドレス情報を用いて、この一の携帯情報端末４に、盗難関連情報を送信する。そして、ステップＳ１０１に戻る。
【００９２】
（ステップＳ１１０）通信基地情報蓄積部３０３は、通信基地情報格納部３０２に格納されている通信基地情報において、古い通信基地情報をステップＳ１０４における検索処理の対象外に設定する。例えば、通信基地情報蓄積部３０３は、古い通信基地情報に対して、ステップＳ１０４における処理の検出対象から除外することを示すフラグ等の情報を付与しても良い。このフラグ等の情報は、例えば、ステップＳ１０４において検索対象から除外する通信基地情報を示す情報と考えてもよい。例えば、ステップＳ１０４においては、このフラグ等の情報により検索対象外に指定されている通信基地情報を除いた通信基地情報から、直前の通信基地情報を検出する。古い通信基地情報とは、例えば、現在の時刻に対して予め指定された時間以上前に受信した通信基地情報である。例えば、通信基地情報蓄積部３０３は、対応づけられた受信時刻が現在の時刻に対して予め指定された時間以上前である通信基地情報を、古い通信基地情報として通信基地情報格納部３０２から検出し、検出した通信基地情報に対して、ステップＳ１０４における検出対象ではないことを示すフラグ等の情報を付与する。
【００９３】
このステップＳ１１０の処理は、古い通信基地情報を盗難の判断に利用しないようにするための処理であり、例えば、ここでの予め指定された時間は、無線通信機１が通信機識別子を発信する間隔よりも長い時間とする。通信機識別子が通信状態によっては確実に受信できない場合もあることも想定するのであれば、この指定された時間は、通信機識別子を発信する間隔よりも十分に長い時間とすることが好ましい。
【００９４】
なお、フラグ等の情報を付与する代わりに、例えば、通信基地情報蓄積部３０３は、現在の時刻に対して予め指定された時間以上前に受信した通信基地情報を古い通信基地情報として通信基地情報格納部３０２から削除するようにしてもよい。例えば、対応づけられた受信時刻が現在の時刻に対して予め指定された時間以上前である通信基地情報を、古い通信基地情報として通信基地情報格納部３０２から削除するようにしてもよい。
【００９５】
また、無線通信機１が、検出部１０３の検出結果等に応じて、あるいは、ユーザからの操作に応じて、通信機識別子の発信を開始する際、または発信を終了する際に、発信を開始したことを示す情報、または発信を終了したことを示す情報等を通信機識別子と共に発信するようにし、サーバ装置３が、基地局２を経由して、この発信を開始したことを示す情報と、発信を終了したことを示す情報を通信機識別子を有する通信基地情報と共に受信した場合に、この通信基地情報が有する通信機識別子と一致する通信機識別子を有する通信基地情報を、通信基地情報格納部３０２から削除することで、通信基地情報の受信を新たに開始する際に、古い通信基地情報が、通信基地情報格納部３０２に残っていないようにしても良い。
【００９６】
なお、古い通信基地情報を削除するようにした場合、通信基地情報格納部３０２に格納された通信基地情報は、後でログとして利用できるように、削除された通信基地情報も含めて図示しない格納部等に逐次蓄積したり、外部に出力するようにしてもよい。
【００９７】
なお、図４のフローチャートにおいて、電源オフや処理終了の割り込みにより処理は終了する。
【００９８】
次に、情報処理システム１０００の携帯情報端末４の動作の一例について説明する。端末受信部４０１は、サーバ装置３から、盗難関連情報を受信したか否かを、例えば、予め指定された時間間隔ごとに繰り返し判断する。そして、受信した場合、端末出力部４０２は、盗難関連情報を出力する。また、その後は、同様に、盗難関連情報を受信したか否かの判断処理を繰り返す。
【００９９】
以下、本実施の形態における情報処理システム１０００の具体的な動作について一例を挙げて説明する。ここでは、一例として、無線通信機１がいわゆるＷｉ−Ｆｉを利用して通信機識別子等の情報を発信するものであるとし、基地局２は、Ｗｉ−Ｆｉの基地局であるとする。
【０１００】
例えば、ユーザＡが、図３（ｂ）に示すように、自分の携帯情報端末４をホルダー３０に取り付けた状態で、図２に示すような小型移動体である自動二輪車５を運転していたとする。ユーザＡは、例えば、この携帯情報端末４に、自動二輪車用のナビゲーションのアプリケーションソフトウェアが実行させていたとする。
【０１０１】
自動二輪車５に取り付けられた無線通信機１の検出部１０３は、例えば、ホルダー３０に設けられた押しボタン式のスイッチ３５と無線あるいは有線で接続されており、図３（ｂ）のように、ホルダー３０に携帯情報端末４が取り付けられている状態においては、ホルダー３０に設けられた押しボタン式のスイッチ３５が押された状態となっているため、このスイッチの通電状況に応じて、携帯情報端末４が、ホルダー３０に取り付けられた状況であることを検出している。このため、無線通信機１の発信部１０２は、通信機識別子を発信していない。
【０１０２】
そして、ユーザＡが自動二輪車５を駐車場に駐車し、自動二輪車５のエンジンを切って自動二輪車５から降車するとともに、携帯情報端末４をホルダー３０から取り外したとする。携帯情報端末４をホルダー３０から取り外したことにより、ホルダー３０のスイッチ３５が、押されていない状態となるため、検出部１０３は、このスイッチ３５の通電状態の変化から、携帯情報端末４がホルダー３０から取り外された状況となったことを検出する。このため、発信部１０２は、通信機識別子格納部１０１に格納されている通信機識別子の発信を開始する。例えば、発信部１０２は、通信機識別子格納部１０１に格納されている通信機識別子を読み出して、予め指定された一定または不定の時間間隔で繰り返し無線により発信する。発信部１０２が送信する無線通信機１の通信機識別子は、ここでは、「ＳＣＲ００１２」であるとする。
【０１０３】
図５は、基地局２と無線通信機１を備えた小型移動体である自動二輪車５との位置関係を示す第一の模式図（図５（ａ））、及び第二の模式図（図５（ｂ））である。図５（ａ）、図５（ｂ）において、領域２０ａは、基地局２ａが、無線通信機１から発信される情報を受信可能な領域であり、領域２０ｂは、基地局２ｂが、無線通信機１から発信される情報を受信可能な領域である。
【０１０４】
ここで、例えば、ユーザＡが自動二輪車５を駐車した位置が、図５（ａ）に示すように、基地局２ａの通信範囲の領域２０ａ内であり、基地局２ｂの通信範囲の領域２０ｂ外であったとすると、基地局２ａの基地局受信部２０２は、自動二輪車５に設置された無線通信機１が送信する通信機識別子「ＳＣＲ００１２」を受信する。そして、基地局送信部２０３は、通信機識別子を受信すると、受信した通信機識別子「ＳＣＲ００１２」と、基地局識別子格納部２０１に格納されている基地局識別子「ＢＳＳＴ１０５」とを有する通信基地情報をサーバ装置３に送信する。
【０１０５】
サーバ装置３の通信基地情報受信部３０１は、基地局２ａから送信される通信機識別子「ＳＣＲ００１２」と、基地局識別子「ＢＳＳＴ１０５」とを有する通信基地情報を受信する。そして、通信基地情報蓄積部３０３は、受信した通信基地情報を、図示しない時計等から取得した受信時刻「１５時１６分３０秒」と対応づけて通信基地情報格納部３０２に蓄積する。なお、受信時刻と対応づけて蓄積する代わりに、受信順番と対応づけて通信基地情報を通信基地情報格納部３０２に蓄積するようにしても良い。
【０１０６】
図６は、通信基地情報格納部３０２に格納された通信基地情報を管理する通信基地情報管理表である。通信基地情報管理表は、「通信基地情報」と「受信時刻」と、「除外」という属性を有している。「通信基地情報」は、更に、「通信機ＩＤ」と、「基地局ＩＤ」という属性を有している。「通信基地情報」は、通信基地情報である。「受信時刻」は、通信基地情報の受信時刻である。「通信機ＩＤ」は、通信機識別子である。「基地局ＩＤ」は、基地局識別子である。「除外」は、直前に受信した通信基地情報を検出する際の対象から除外される通信基地情報を示すためのフラグの情報である。値「１」が、対応する通信基地情報が検索対象から除外されることを示し、空欄、即ち値「Ｎｕｌｌ」は、検索対象であることを示している。
【０１０７】
判断部３０４は、通信基地情報蓄積部３０３が蓄積した最新の通信基地情報から、「通信機ＩＤ」である「ＳＣＲ００１２」を取得し、通信基地情報格納部３０２に格納されている検出対象から除外されていない通信基地情報のうちの、この最新の通信基地情報以外の通信基地情報の中から、最新の通信基地情報の「通信機ＩＤ」である「ＳＣ００１２」と同じ「通信機ＩＤ」を有する最新の通信基地情報を検索する。具体的には、図６に示した通信基地情報管理表において、上記の最新の通信基地情報のレコード（行）を除いた通信基地情報のレコードの中から「通信機ＩＤ」の値が「ＳＣ００１２」と一致し、かつ「除外」の値が「Ｎｕｌｌ」であるレコードであって、「受信時刻」の値が最も新しいレコードを検索する。ここでは、「通信機ＩＤ」の値が「ＳＣ００１２」である通信基地情報が、通信基地情報格納部３０２に蓄積されておらず、「通信機ＩＤ」の値が「ＳＣ００１２」と一致するレコードが検出できなかったとする。このため、判断部３０４は、通信基地情報受信部３０１が受信した通信機識別子「ＳＣ００１２」を有する通信基地情報については変更がないと判断する。そして、送信部３０５は、盗難関連情報の送信等を行わない。なお、ここでは、変更がないと判断する代わりに、例えば、変更が判断できないとする判断結果を取得しても良い。
【０１０８】
そして、通信基地情報蓄積部３０３は、通信基地情報管理表が示す通信基地情報において、「除外」の値が「Ｎｕｌｌ」であって、受信時刻が、現在の時刻よりも予め指定された時間以上前である通信基地情報を検出し、通信基地情報管理表の、この通信基地情報の「除外」の値を「１」に設定する。これにより、受信時刻が古い通信基地情報を直前に受信した通信基地情報を検索する際の検索対象から除外できる。なお、ここでの予め指定された時間は、例えば、無線通信機１が通信機識別子を繰り返し発信する際の繰り返しの時間間隔よりも十分に長い時間とする。ただし、以前に小型移動体５を駐車した際に受信した通信機識別子が、通信基地情報格納部３０２に残っていないような時間に設定することが好ましい。例えば、無線通信機１が通信機識別子を発信する間隔が３０秒であったとすると、この予め指定された時間を、１分から３０分の範囲内の所望の時間とすることが考えられる。
【０１０９】
更に、上記と同様に、通信基地情報受信部３０１が、基地局２ａから送信される通信機識別子「ＳＣＲ００１２」と、基地局識別子「ＢＳＳＴ１０５」とを有する通信基地情報を受信すると、通信基地情報蓄積部３０３は、受信した通信基地情報を、受信時刻「１５時１７分００秒」と対応づけて、通信基地情報格納部３０２に蓄積する。
【０１１０】
また、通信基地情報蓄積部３０３が一の最新の通信基地情報を蓄積した後、判断部３０４は、上記と同様に、通信基地情報格納部３０２に格納されている通信基地情報の中から、最新の通信基地情報から取得した「通信機ＩＤ」と同じ「通信機ＩＤ」を有しており、対応づけられた「除外」の値が、「Ｎｕｌｌ」である、最新の通信基地情報の一つ前に受信された通信基地情報を検索する。
【０１１１】
ここでは、最新の通信基地情報の「通信機ＩＤ」である「ＳＣＲ００１２」と同じ「通信基地情報」を有する通信基地情報であって、最新の通信基地情報の「受信時刻」である「１５時１７分００秒」の一つ前の「受信時刻」である「１５時１６分３０秒」を有する通信基地情報が、通信基地情報格納部３０２において検出されたとする。
【０１１２】
判断部３０４は、最新の通信基地情報と、上記で検出された一つ前の、つまり直前の、通信基地情報から、それぞれ基地局識別子を取得し、両者が一致するか否かを判断する。ここでは、最新の通信基地情報と、直前の通信基地情報とから、それぞれ取得した基地局識別子が、いずれも、「ＢＳＳＴ１０５」であり、一致すると判断されたとする。
【０１１３】
このため、判断部３０４は、一の通信機識別子「ＳＣ００１２」を有する通信基地情報について変更がないと判断する。そして、送信部３０５は、盗難関連情報の送信等を行わない。
【０１１４】
なお、小型移動体である自動二輪車５が、同じ位置に駐車されている間、あるいは、基地局２ａと通信可能な領域内に位置している間は、上記と同様に、一の通信機識別子「ＳＣ００１２」を有する通信基地情報の変更がないと判断されるため、送信部３０５が盗難関連情報を送信することはない。
【０１１５】
そして、上記と同様に、通信基地情報蓄積部３０３は、受信時刻が、現在の時刻よりも予め指定された時間以上前である通信基地情報を検出し、この通信基地情報の「除外」の値を「１」に更新する。
【０１１６】
また、この後、同様の処理が繰り返されたとする。
【０１１７】
ここで、自動二輪車の駐車後、約１０分程度の時間が経過した後に、仮に、ユーザＡの自動二輪車５が盗難にあい、その数分後に、図５（ｂ）に示すように、この自動二輪車５が、基地局２ａの通信範囲外であって、基地局２ｂの通信範囲内である領域２０ｂに運ばれたとする。
【０１１８】
このため、基地局２ｂの通信範囲内である領域に運ばれた直後には、基地局２ａではなく、基地局２ｂの基地局受信部２０２が、無線通信機１が発信する通信機識別子「ＳＣＲ００１２」を受信する。
【０１１９】
通信機識別子「ＳＣＲ００１２」を受信した基地局２ｂの基地局送信部２０３は、この通信機識別子「ＳＣＲ００１２」と、基地局識別子格納部２０１に格納されている既知強識別子「ＢＳＳ３０２」とを有する通信基地情報をサーバ装置３に送信する。
【０１２０】
サーバ装置３の通信基地情報受信部３０１は、基地局２ｂから送信される通信機識別子「ＳＣＲ００１２」と、基地局識別子「ＢＳＳＴ３０２」とを有する通信基地情報を受信する。そして、通信基地情報蓄積部３０３は、受信した通信基地情報を、図示しない時計等から取得した受信時刻と対応づけて通信基地情報格納部３０２に蓄積する。
【０１２１】
図７は、通信基地情報格納部３０２に格納された通信基地情報を管理する通信基地情報管理表であり、基地局２ｂから送信される通信機識別子「ＳＣＲ００１２」と、基地局識別子「ＢＳＳＴ３０２」とを有する通信基地情報を蓄積した直後の状態を示す図である。なお、図７の属性等は、図６の属性等と同様であるとする。
【０１２２】
また、判断部３０４は、上記と同様に、通信基地情報格納部３０２に格納されている通信基地情報の中から、対応する「除外」の値が「Ｎｕｌｌ」であって、最新の通信基地情報から取得した「通信機ＩＤ」である「ＳＣＲ００１２」と同じ「通信機ＩＤ」を有している、最新の通信基地情報の一つ前、即ち直前に受信された通信基地情報を検索する。ここでは、図７に示した通信基地情報管理表からこのような通信基地情報を検索する。
【０１２３】
ここでの最新の通信基地情報は「通信機ＩＤ」が「ＳＣＲ００１２」、「基地局ＩＤ」が「ＢＳＳＴ３０２」である通信基地情報であって、対応する「通信時刻」が「１５時３０分３０秒」である通信基地情報であるとし、判断部３０４が、通信基地情報管理表から検索した最新の通信基地情報の直前に蓄積された通信基地情報は、「通信機ＩＤ」が「ＳＣＲ００１２」であり、「基地局ＩＤ」が「ＢＳＳＴ１０５」である通信基地情報であって、対応づけられた「通信時刻」が「１５時３０分００秒」である通信基地情報であったとする。
【０１２４】
判断部３０４は、最新の通信基地情報と、ここで検出した直前の通信基地情報とから、それぞれ基地局識別子を取得し、両者が一致するか否かを判断する。ここでは、最新の通信基地情報から取得した「基地局ＩＤ」は、「ＢＳＳＴ１０５」であり、直前の通信基地情報から取得した基地局識別子は、「ＢＳＳＴ３０２」であるため、両者が一致しない、つまり異なると判断されたとする。
【０１２５】
このため、判断部３０４は、一の通信機識別子「ＳＣ００１２」を有する通信基地情報について変更があったと判断する。
【０１２６】
判断部３０４が、一の通信機識別子「ＳＣ００１２」を有する通信基地情報について変更があったと判断したため、送信部３０５は、盗難関連情報を送信する処理を行う。
【０１２７】
図８は、サーバ装置３の図示しない格納部に予め格納されている送信先管理情報の一例を示す図である。送信先管理情報は、「通信機ＩＤ」、「送信先」という属性を有している。「通信機ＩＤ」は、通信機識別子である。「送信先」は、送信先を示す情報であり、ここでは、送信先である一以上の携帯情報端末４のメールアドレスであるとする。
【０１２８】
送信部３０５は、判断部３０４が変更があったと判断した通信基地情報が有する通信機識別子である「ＳＣ００１２」を用いて、この通信機識別子と対応づけられた送信先を示す情報であるメールアドレスを、図８に示した送信先管理情報から取得する。具体的には、送信部３０５は、図８に示した送信先管理情報において、「通信機ＩＤ」の値が、「ＳＣ００１」であるレコード（行）を検出し、検出したレコードの「送信先」の値である「ｕｓｅｒａ＠ｐｑｒｍ．ｃｏ…」を取得する。このメールアドレスは、ユーザＡの利用する携帯情報端末４のメールアドレスであるとする。
【０１２９】
そして、取得した送信先を示す情報であるメールアドレスを宛先として、盗難関連情報を取得する。ここでは、盗難関連情報として、予め図示しない格納部等に格納されている「お客様の小型移動体が盗難にあった可能性があります。ご確認下さい。」というテキストと、上記の通信基地情報を受信した受信時刻である「１５時３０分３０秒」というテキストとを有する電子メールを送信する。
【０１３０】
なお、変更があったと判断された最新の通信基地情報の基地局２ｂの住所等の情報を、基地局識別子と、基地局の住所とを対応づけて有している図示しない格納部等から検索により取得して、この情報を更に含む盗難関連情報を送信するようにしてもよい。
【０１３１】
ユーザＡの利用する携帯情報端末４の端末受信部４０１は、サーバ装置３の送信部３０５が送信する盗難関連情報を受信する。
【０１３２】
携帯情報端末４の端末出力部４０２は、端末受信部４０１が受信した盗難関連情報を、携帯情報端末４のモニタ４０に表示する。
【０１３３】
図９は、携帯情報端末４のモニタ４０に表示された盗難関連情報を示す図である。
【０１３４】
このように、携帯情報端末４のモニタ４０に盗難関連情報を表示することにより、ユーザＡに自動二輪車５が盗難にあった可能性を通知することができる。
【０１３５】
以上、本実施の形態によれば、簡易な構成により、容易に、小型移動体の盗難を検出したり、盗難の検出に利用可能な情報を取得することができる。
【０１３６】
例えば、本実施の形態のサーバ装置３の通信基地情報格納部３０２に格納されている通信基地情報を用いて、一の通信機識別子を有する通信基地情報が変更されたか否かを判断することで、一の通信機識別子が示す無線通信機１が取り付けられた小型移動体５が盗難にあった可能性があるか否かを判断することができる。
【０１３７】
また、一の通信機識別子を有する通信基地情報について変更を判断部３０４が検出した場合に、盗難関連情報を出力することにより、盗難関連情報によって、容易に、一の通信機識別子が示す無線通信機１が取り付けられた小型移動体が盗難にあった可能性があることをユーザに通知することができる。
【０１３８】
なお、上記各実施の形態において、一の装置に存在する２以上の通信手段（通信基地情報受信部や送信部など）は、物理的に一の媒体で実現されても良いことは言うまでもない。
【０１３９】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１４０】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＭＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１４１】
なお、上記各実施の形態におけるサーバ装置を実現するソフトウェアは、以下のようなプログラムである。つまり、このプログラムは、一以上の通信基地情報が格納される通信基地情報格納部にアクセス可能なコンピュータを、小型移動体に設置された無線通信機が発信した通信機識別子を受信する一以上の基地局が送信する情報であって、当該基地局が受信した通信機識別子と、当該基地局の基地局識別子とを有する情報である通信基地情報を受信する通信基地情報受信部と、通信基地情報受信部が受信した通信基地情報を、通信基地情報格納部に蓄積する通信基地情報蓄積部として機能させるためのプログラムである。
【０１４２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１４３】
また、このプログラムを実行するコンピュータは、単数であってもよく、複数であってもよい。すなわち、集中処理を行ってもよく、あるいは分散処理を行ってもよい。
【０１４４】
図１０は、上記プログラムを実行して、上記実施の形態によるサーバ装置等を実現するコンピュータの外観の一例を示す模式図である。上記実施の形態は、コンピュータハードウェア及びその上で実行されるコンピュータプログラムによって実現されうる。
【０１４５】
図１０において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１４６】
図１１は、コンピュータシステム９００の内部構成を示す図である。図１１において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１４７】
コンピュータシステム９００に、上記実施の形態によるサーバ装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１４８】
プログラムは、コンピュータ９０１に、上記実施の形態によるサーバ装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１４９】
本発明は、以上の実施の形態に限定されることなく、種々の変更が可能であり、それらも本発明の範囲内に包含されるものであることは言うまでもない。
【産業上の利用可能性】
【０１５０】
以上のように、本発明にかかるサーバ装置等は、小型移動体の盗難を検出する装置等として適しており、特に、盗難に伴う小型移動体の移動を検出する装置等として有用である。
【符号の説明】
【０１５１】
１  無線通信機
２、２ａ、２ｂ  基地局
３  サーバ装置
４  携帯情報端末
５  小型移動体（自動二輪車）
３０  ホルダー
３１  台
３１ａ  吸着部材
３２  ガイド部材
３５  スイッチ
４０  モニタ
１０１  通信機識別子格納部
１０２  発信部
１０３  検出部
２０１  基地局識別子格納部
２０２  基地局受信部
２０３  基地局送信部
３０１  通信基地情報受信部
３０２  通信基地情報格納部
３０３  通信基地情報蓄積部
３０４  判断部
３０５  送信部
４０１  端末受信部
４０２  端末出力部
１０００  情報処理システム
【図１】
0006655871.tif 000002
【図２】
0006655871.tif 000003
【図３】
0006655871.tif 000004
【図４】
0006655871.tif 000005
【図５】
0006655871.tif 000006
【図６】
0006655871.tif 000007
【図７】
0006655871.tif 000008
【図８】
0006655871.tif 000009
【図９】
0006655871.tif 000010
【図１０】
0006655871.tif 000011
【図１１】
0006655871.tif 000012